(57)【要約】【課題】排水栓の開閉操作を行なうための操作レバーを、ユーザーが指先で摘まむ必要がなく、簡単に操作することが可能な洗面台を提供する。【解決手段】本発明の洗面台は、底部に排水口１３を有する洗面ボウル１１と、前記排水口１３を開閉自在に閉塞する排水栓６１と、前記排水栓６１の開閉操作を行なう操作レバー７とを備えた洗面台である。操作レバー７が、洗面台本体１から突没自在に突出すると共に当該突没方向の移動が前記排水栓６１の開閉動作に連動する作動軸部７１と、前記作動軸部７１に対し一側方に突出した指掛け片７２とを有している。【選択図】図１
2012090665.tif 000002
【特許請求の範囲】
【請求項１】
底部に排水口を有する洗面ボウルと、
前記排水口を開閉自在に閉塞する排水栓と、
前記排水栓の開閉操作を行なう操作レバーと
を備えた洗面台であって、
前記操作レバーが、
洗面台本体から突没自在に突出すると共に当該突没方向の移動が前記排水栓の開閉動作に連動する作動軸部と、
前記作動軸部に対し一側方に突出した指掛け片と
を有している
ことを特徴とする洗面台。
【発明の詳細な説明】
【技術分野】
【０００１】
本発明は、洗面ボウルを備える洗面台に関する。
【背景技術】
【０００２】
従来、洗面ボウルを有する洗面台において、この洗面ボウル底部に設けられた排水口にいわゆるポップアップ式の排水栓が設置されたものが知られている。例えば、特許文献１に記載された洗面台は、排水栓を開閉動作させる操作摘みが設けられている。この操作摘みは、ユーザーが親指と人差し指とで摘み易いよう、その先端の直径が他の部分の直径よりも大きく形成されている（図５参照）。なお図５中の符号９０は操作摘みを示し、符号９１は大径部を示し、符号９２は洗面台を示す。
【先行技術文献】
【特許文献】
【０００３】
【特許文献１】特開２００６−５７３３９号公報
【発明の概要】
【発明が解決しようとする課題】
【０００４】
ところで上記特許文献１の洗面台のように、操作摘みの先端の直径が他の部分の直径よりも大きく形成されている場合、確かにユーザーは親指と人差し指とでこの操作摘みを摘み易い。ところが親指と人差し指とで摘まみやすいこの形状の操作摘みは、少なくとも、親指と人差し指とで摘まむ指先の力が必要となるため、例えば高齢者や指先が不自由な人にとって操作が困難な場合があった。
【０００５】
本発明は、上記事情に鑑みてなされたものであり、その目的とするところは、排水栓の開閉操作を行なうための操作レバーを、ユーザーが指先で摘まむ必要がなく、簡単に操作することが可能な洗面台を提供することにある。
【課題を解決するための手段】
【０００６】
本発明の洗面台は、底部に排水口を有する洗面ボウルと、前記排水口を開閉自在に閉塞する排水栓と、前記排水栓の開閉操作を行なう操作レバーとを備えた洗面台であって、前記操作レバーが、洗面台本体から突没自在に突出すると共に当該突没方向の移動が前記排水栓の開閉動作に連動する作動軸部と、前記作動軸部に対し一側方に突出した指掛け片とを有していることを特徴とする。
【発明の効果】
【０００７】
本発明の洗面台によれば、排水栓の開閉操作を行なうための操作レバーを、ユーザーが指先で摘まむ必要がなく、簡単に操作することができる。
【図面の簡単な説明】
【０００８】
【図１】本発明の一実施形態の洗面台を示す一部側断面図である。
【図２】同上の実施形態の洗面台の斜視図である。
【図３】同上の実施形態の洗面台の正面図である。
【図４】同上の実施形態の洗面台の排水栓装置を説明するための要部断面図である。
【図５】従来の操作摘みを説明するための断面図である。
【発明を実施するための形態】
【０００９】
以下、本発明の実施形態について添付図面に基づいて説明する。
【００１０】
本実施形態の洗面台は、図１〜３に示されるような洗面化粧台である。洗面台は、洗面ボウル１１を有する洗面台本体１と、洗面台本体１の洗面ボウル１１の排水栓６１を開閉させるポップアップ式の排水栓装置５とを備えている。
【００１１】
洗面台本体１は、図１に示されるように、底部に排水口１３を有する洗面ボウル１１と、洗面ボウル１１を内部に収容する下部キャビネット２と、洗面ボウル１１の上方に配置された上部キャビネット３とを備えている。洗面台本体１は、洗面ボウル１１の奥部から上方に向けて突設された立ち上がり壁部１２を有しており、この立ち上がり壁部１２を介して洗面ボウル１１上に上部キャビネット３が配設されている。
【００１２】
下部キャビネット２は、その内部が収納部２１となっている。下部キャビネット２は、図２に示されるように、前面に開閉扉２２を有する有底箱形状をしており、その上方が開口している。下部キャビネット２は、この上方開口を閉塞するようにして洗面ボウル１１が載設されている。
【００１３】
上部キャビネット３は、前方が開口し偏平な箱形状をしたキャビネット本体３１により主体が構成されている。キャビネット本体３１は、その内部に、棚板により仕切られた複数の収納部３２を有している。上部キャビネット３は、キャビネット本体３１の前面に設けられた開閉自在な扉３３を有している。この扉３３の前面には鏡３４が配設されている。上部キャビネット３の底板には、給水部３５と、当該給水部３５の吐水・止水を操作する操作部３６とが取り付けられている。
【００１４】
洗面ボウル１１は、給水部３５からの給水を受けるための部分であり、その底部に排水口１３が穿設されている。この排水口１３は、洗面台が設置された状態では、排水管に連通接続される。洗面台は、この排水口１３を開閉自在に閉塞する排水栓装置５を備えている。
【００１５】
排水栓装置５は、図４に示されるように、排水栓６１を上下方向に移動させて排水口１３を開閉させる排水栓機構部６と、この排水栓機構部６にレリース８を介して接続された操作レバー７とを備えている。排水栓機構部６は、排水口１３を開閉自在に閉塞する排水栓６１と、この排水栓６１を上下方向に往復動させるメカボックス６２と、このメカボックス６２を洗面ボウル１１の底部に固定する排水口金具６３とを有している。
【００１６】
排水口金具６３は、排水筒部６４の上端からフランジ部６５が連接された構成となっている。この排水筒部６４は、その外面に雄ねじ部が螺設されている。排水口金具６３は、排水筒部６４の内部にメカボックス６２が収容されている。
【００１７】
メカボックス６２は、その上部に、上下方向に突没自在な軸部６６を有している。メカボックス６２は、レリース８に連結されており、レリース８内のインナーワイヤ８１が押し込まれると軸部６６が突出し、インナーワイヤ８１が引っ張られると軸部６６が没入するよう構成されている。メカボックス６２の軸部６６には排水栓６１が連結される。したがってメカボックス６２は、インナーワイヤ８１の挿入・引出に追従して排水栓６１を上下往復動させる。
【００１８】
排水口金具６３は、次のようにして取り付けられる。まず、排水口金具６３を洗面ボウル１１の排水口１３の上方から挿入する。このとき、洗面ボウル１１の底面とフランジ部６５との間にパッキン（図示せず）を介装する。この状態で洗面ボウル１１の下方から、排水筒部６４の雄ねじ部にナット６７を螺合し、排水口金具６３を固定する。
【００１９】
レリース８は、アウターチューブ８２と、このアウターチューブ８２内に挿通され且つ当該アウターチューブ８２内を長手方向に前進後退可能なインナーワイヤ８１とを備えている。このレリース８は、一端が排水栓機構部６のメカボックス６２に連結され、他端が操作レバー７に接続されている。
【００２０】
操作レバー７は、図２，３に示されるように、洗面台の立ち上がり壁部１２に取り付けられる。操作レバー７は、図４に示されるように、立ち上がり壁部１２に対し、前後方向に突没自在に突出した作動軸部７１と、この作動軸部７１の先端から一側方に突設された指掛け片７２とを備え、これらが全体として略Ｌ字状に形成されている。操作レバー７は、作動軸部７１の長手方向への移動を許容し且つ当該操作レバー７を立ち上がり壁部１２に固定する軸受部７３をさらに有している。操作レバー７は、作動軸部７１における立ち上がり壁部１２の裏側に位置する端部に、レリース８のインナーワイヤ８１が連結されている。操作レバー７は、その突没動作によって、固定されたアウターチューブ８２に対し、インナーワイヤ８１を相対的に前進後退させる。
【００２１】
操作レバー７は、軸方向に回転不能となっている。操作レバー７の指掛け片７２は、その先端が、上部キャビネット３側（上方）に臨んでおり、且つ当該上部キャビネット３の下面と対向している。指掛け片７２は、少なくとも指の幅以上の長手方向長さを有しており、ユーザーが指を容易に引っ掛けられるよう構成されている。
【００２２】
洗面ボウル１１の排水栓６１を閉塞しようとした場合、ユーザーは、手を上部キャビネット３の下方に近づけ、人差し指を水平方向に曲げて指指掛け片７２の奥側の空所に挿入する。そしてその状態で手を手前側に移動させ、操作レバー７を手前側に移動させる。すると操作レバー７は、指に引っ掛って引き出され、レリース８のインナーワイヤ８１を引っ張る。インナーワイヤ８１が長手方向に移動すると、その移動に追従して排水栓６１を閉塞させる。
【００２３】
一方、洗面ボウル１１の排水栓６１を開放する場合、操作レバー７を奥側に押し込む。すると操作レバー７は、レリース８のインナーワイヤ８１を押し込んで移動させ、排水栓６１を開放させる。
【００２４】
本実施形態の洗面台は、操作レバー７が、作動軸部７１に対して一側方に突出した指掛け片７２を有しているため、ユーザーが容易に指を引っ掛けて操作レバー７の引き操作をすることができる。つまり本実施形態の洗面台は、ユーザーが操作レバー７を操作するに当たり操作レバー７を指先で摘まむ必要がなくなるため、操作レバー７の操作が容易である。
【００２５】
また本実施形態の洗面台は、操作レバー７が略Ｌ字形状に形成されているため、ヘアゴムや洗顔用ネット等の小物類を引っ掛けた状態でずり落ちを防止できる。
【００２６】
ところで洗面台において、操作レバー７のすぐ上方に上部キャビネット３が設けられていると、ユーザーは、操作レバー７操作時に手が上部キャビネット３に接触して操作しづらい場合がある。しかし本実施形態の洗面台は、操作レバー７の指掛け片７２の先端が、上方に臨んでいるため、横方向から指を挿入すればよい。このように水平方向に指を曲げる場合、手の甲が側方に向くため、人差し指よりも上方にスペースがそれほど必要とならない。このためユーザーは、右利き左利きによらず、手の甲が上部キャビネット３に接触しにくく操作しやすい。仮に、指掛け片７２の先端が上部キャビネット３の下面と近接対向していたとしても、ユーザーは容易に指を引っ掛けることができる。
【００２７】
なお、本実施形態の洗面台は、上部キャビネット３及び下部キャビネット２が設けられた洗面化粧台であったが、本発明の洗面台は上部キャビネット３や下部キャビネット２を有さない洗面台であってもよい。
【００２８】
また本実施形態の洗面台は立ち上がり壁部１２に操作レバー７が設けられていたが、本発明の操作レバーは、洗面ボウルの縁部に設けられたものであってもよい。また本発明の操作レバーは、作動軸部が上方に向けて突出したものであってもよく、突出方向は特に限定されない。また、本発明の指掛け片は、作動軸部に対し少なくとも一側方に突出して設けられていればよく、例えば二方向に形成して略Ｔ字形状に形成してもよい。
【符号の説明】
【００２９】
１      洗面台本体
１１    洗面ボウル
１２    立ち上がり壁部
１３    排水口
２      下部キャビネット
３      上部キャビネット
３１    キャビネット本体
５      排水栓装置
６      排水栓機構部
６１    排水栓
７      操作レバー
７１    作動軸部
７２    指掛け片
８      レリース
【図１】
2012090665.tif 000003
【図２】
2012090665.tif 000004
【図３】
2012090665.tif 000005
【図４】
2012090665.tif 000006
【図５】
2012090665.tif 000007